(57)【要約】【課題】表示された操作ボタンが端末の把持状態によって操作しにくくなることを回避する。【解決手段】接触または近接を検出する入力検出部１と、操作ボタンを含む、接触または近接によって入力操作を行うための表示を行う表示部２と、入力検出部１における検出結果に基づいて入力操作を認識し、この入力操作に基づいて自装置の動作を制御する制御部３とを有し、制御部３は、入力検出部１における検出結果に基づいて自装置の把持位置を判定し、この把持位置に基づいて操作ボタンの表示位置を移動させる。【選択図】図１
2014021528.tif 000002
【特許請求の範囲】
【請求項１】
接触または近接を検出する入力検出手段と、
操作ボタンを含む、前記接触または近接によって入力操作を行うための表示を行う表示手段と、
前記入力検出手段における検出結果に基づいて前記入力操作を認識し、該入力操作に基づいて自装置の動作を制御する制御手段とを有し、
前記制御手段は、前記入力検出手段における検出結果に基づいて自装置の把持位置を判定し、前記把持位置に基づいて前記操作ボタンの表示位置を移動させる情報処理装置。
【請求項２】
請求項１に記載の情報処理装置において、
前記制御手段は、前記入力検出手段に対する接触または近接の軌跡に基づいて自装置の把持位置を判定する情報処理装置。
【請求項３】
請求項２に記載の情報処理装置において、
前記制御手段は、前記軌跡による弧の向きに基づいて自装置の把持位置を判定する情報処理装置。
【請求項４】
請求項１乃至３のいずれか１項に記載の情報処理装置において、
前記制御手段は、前記操作ボタンの表示位置を前記自装置の把持位置とは反対側の方向に移動させる情報処理装置。
【請求項５】
情報処理装置における表示制御方法であって、
接触または近接を検出する入力検出処理と、
前記入力検出処理における検出結果に基づいて前記情報処理装置の把持位置を判定する把持位置判定処理と、
前記接触または近接によって入力操作を行うための表示に含まれる操作ボタンの表示位置を、前記把持位置に基づいて移動させる位置移動処理とを有する表示制御方法。
【請求項６】
コンピュータに、
接触または近接を検出する入力検出手順と、
前記入力検出手順における検出結果に基づいて前記情報処理装置の把持位置を判定する把持位置判定手順と、
前記接触または近接によって入力操作を行うための表示に含まれる操作ボタンの表示位置を、前記把持位置に基づいて移動させる位置移動手順とを実行させるためのプログラム。
【発明の詳細な説明】
【技術分野】
【０００１】
本発明は、接触または近接による入力操作が行われる情報処理装置及び表示制御方法に関し、特に、入力操作のしやすさの向上技術に関する。
【背景技術】
【０００２】
現在、携帯電話機は、情報交換や情報収集の面から、生活にはなくてはならないツールとなりつつある。携帯電話機は、世の中に登場した当時は、通話機能しか有していないものがほとんどであった。しかし、近年では、一般のパーソナルコンピュータと同様に、電子メールを送信したり、インターネットに接続したりすることができるようになっている。
【０００３】
このような携帯電話機の市場では、近年、スマートフォンが急速に普及している。スマートフォンは、キーパッドを有さず、表示画面上に接触を検出するタッチパッドを有し、タッチパッドにて接触を検出すると、その検出した位置と同じ表示画面上の場所の選択や操作が可能となる。このようなタッチパッドを有する情報処理装置は、スマートフォンに限らず、デジタルカメラや携帯ゲーム機等にも採用されており、表示画面上のアプリケーション用アイコンやブラウザのリンク、文字入力用のキーの選択や、表示画面のスクロールや拡大／縮小を直感的に分かりやすく、簡単に操作することができる。
【０００４】
このように、タッチパッドを有する情報処理装置は、表示画面上に設けられたタッチパッドに接触することによって入力操作を行うものであるため、そのほぼ全面に表示画面が設けられた形状となっており、その把持状態によっては入力操作をしにくい場合がある。例えば、タッチパッドを有する情報処理装置を片手で操作する場合、把持した手の親指で入力操作を行うことになるが、その際、画面下方に表示されたシステムアイコンは親指の付け根近傍に位置することになるため、入力操作を行う際に親指を極端に内側に曲げる必要があり、入力操作が困難になってしまう。
【０００５】
ここで、モニタを有するカメラにおいて、ユーザによって所定のモードが指定されると、モニタのうちカメラを把持する手によって覆われる領域には撮影画像を表示させず、その領域に操作ボタンを表示させる技術が、特許文献１に開示されている。このような構成とすることにより、撮影時等の所定のモードにおいて撮影画像が手で覆われて見えなくなってしまうことが回避される。
【０００６】
また、携帯電話機の表示部に情報を入力するための操作画面が表示される構成において、表示部のうちユーザがタッチパネルに接触した領域に操作画面を表示する技術が、特許文献２に開示されている。このような構成とすることにより、ユーザが所望の領域に操作画面が表示されることになり、操作性を向上させることができる。
【先行技術文献】
【特許文献】
【０００７】
【特許文献１】特開２０１０−４５７１号公報
【特許文献２】特開２０１０−３３０７号公報
【発明の概要】
【発明が解決しようとする課題】
【０００８】
特許文献１に開示された技術は、上述したように、ユーザによって所定のモードが指定された場合に、モニタのうちカメラを把持する手によって覆われる領域には撮影画像を表示させず、その領域に操作ボタンを表示させるものである。すなわち、撮影画像が手で覆われて見えなくなってしまうことを回避するためのものであり、把持状態によって入力操作がしにくくなってしまうという問題点を何ら解決するものではない。これは、把持する手によって覆われる領域に操作ボタンを表示するという構成と、ユーザが所定のモードに指定しないと、このような操作ボタンの表示領域への表示が行われない構成から明らかである。
【０００９】
特許文献２に開示された技術は、上述したように、表示部のうちユーザがタッチパネルに接触した領域に操作画面を表示するものである。しかしながら、端末の把持状態によって、把持した手の指により操作画面が操作しにくくなる点についての考慮はなされていない。
【００１０】
本発明は、上述したような技術が有する問題点に鑑みてなされたものであって、表示された操作ボタンが端末の把持状態によって操作しにくくなることを回避する情報処理装置、表示制御方法及びプログラムを提供することを目的とする。
【課題を解決するための手段】
【００１１】
上記目的を達成するために本発明は、
接触または近接を検出する入力検出手段と、
操作ボタンを含む、前記接触または近接によって入力操作を行うための表示を行う表示手段と、
前記入力検出手段における検出結果に基づいて前記入力操作を認識し、該入力操作に基づいて自装置の動作を制御する制御手段とを有し、
前記制御手段は、前記入力検出手段における検出結果に基づいて自装置の把持位置を判定し、前記把持位置に基づいて前記操作ボタンの表示位置を移動させる。
【００１２】
また、情報処理装置における表示制御方法であって、
接触または近接を検出する入力検出処理と、
前記入力検出処理における検出結果に基づいて前記情報処理装置の把持位置を判定する把持位置判定処理と、
前記接触または近接によって入力操作を行うための表示に含まれる操作ボタンの表示位置を、前記把持位置に基づいて移動させる位置移動処理とを有する。
【００１３】
また、コンピュータに実行させるためのプログラムであって、
接触または近接を検出する入力検出手順と、
前記入力検出手順における検出結果に基づいて自装置の把持位置を判定する把持位置判定手順と、
前記接触または近接によって入力操作を行うための表示に含まれる操作ボタンの表示位置を、前記把持位置に基づいて移動させる位置移動手順とを実行させる。
【発明の効果】
【００１４】
本発明によれば、表示された操作ボタンが端末の把持状態によって操作しにくくなることが回避される。
【図面の簡単な説明】
【００１５】
【図１】本発明の情報処理装置の概要を示すブロック図である。
【図２】図１に示した情報処理装置における表示制御方法のアルゴリズムを説明するためのフローチャートである。
【図３】図１に示した情報処理装置の実施の一形態となる携帯端末の一構成例を示すブロック図である。
【図４】図３に示した携帯端末の外観図であり、（ａ）は表示状態を示す図、（ｂ）はユーザの手に把持された状態を示す図である。
【図５】図３に示した携帯端末の持ち手判定処理を説明するためのフローチャートである。
【図６】図３に示した携帯端末におけるアイコンの表示制御処理を説明するためのフローチャートである。
【図７】図４に示した携帯端末における表示制御を示す図である。
【図８】本発明の情報処理装置の他の実施の形態を示す外観図である。
【発明を実施するための形態】
【００１６】
以下に、本発明の実施の形態について図面を参照して説明する。
【００１７】
図１は、本発明の情報処理装置の概要を示すブロック図である。
【００１８】
本発明の情報処理装置は図１に示すように、入力検出手段となる入力検出部１と、表示手段となる表示部２と、制御手段となる制御部３とから構成されている。
【００１９】
入力検出部１は、接触または近接を検出する。
【００２０】
表示部２は、接触または近接によって入力操作を行うための表示を行うものであり、この表示の中には操作ボタンを含む。
【００２１】
制御部３は、入力検出部１における検出結果に基づいて入力操作を認識し、この入力操作に基づいて自装置の動作を制御するものである。また、制御部３は、入力検出部１における検出結果に基づいて自装置の把持位置を判定し、この把持位置に基づいて操作ボタンの表示位置を移動させる。
【００２２】
以下に、上記のように構成された情報処理装置における表示制御方法のアルゴリズムについて説明する。
【００２３】
図２は、図１に示した情報処理装置における表示制御方法のアルゴリズムを説明するためのフローチャートである。
【００２４】
図１に示した情報処理装置においては、まず、入力検出部１が、接触または近接を検出する（ステップ１）。なおこの際、表示部２が、入力操作を行うための表示を行っており、この表示の中には操作ボタンが含まれている。
【００２５】
次に、制御部３は、入力検出部１における検出結果に基づいて、自装置となる情報処理装置の把持位置を判定する（ステップ２）。
【００２６】
その後、制御部３は、判定した把持位置に基づいて、表示部２が表示している操作ボタンの表示位置を移動させる（ステップ３）。
【００２７】
以下に、上述した情報処理装置について具体的な例を挙げて説明する。
【００２８】
図３は、図１に示した情報処理装置の実施の一形態となる携帯端末の一構成例を示すブロック図である。
【００２９】
本形態の携帯電話機１００は図３に示すように、アンテナ１０と、無線通信部１１と、音声処理部１２と、受話スピーカ１３と、送話マイク１４と、図１に示した入力検出部１に相当するタッチパネル入力部１５と、図１に示した表示部２に相当する表示部１６と、キー入力部１７と、撮像部１８と、鳴音駆動部１９と、スピーカ２０と、ＲＯＭ２１と、ＲＡＭ２２と、図１に示した制御部３に相当するＣＰＵ２３とを備えている。
【００３０】
無線通信部１１は、無線基地局（不図示）から送信された無線通信信号を、アンテナ１０を介して受信して復調処理し、復調したベースバンド信号（デジタル信号）から通信制御データ、音声データ、通信データ等を取得する。取得された音声データは音声処理部１２に出力され、通信データはＣＰＵ２３に読み込まれる。また、無線通信部１１は、音声処理部１２から出力された音声データに通信制御データ等を付加し、このベースバンド信号（デジタル信号）を変調処理し、アンテナ１０を介して無線基地局（不図示）に送信する。
【００３１】
音声処理部１２は、無線通信部１１から出力された音声データをデコード（伸張処理）し、さらにアナログ音声信号に変換した後、受話スピーカ１３を介して出力する。また、音声処理部１２は、送話マイク１４を介して入力されたアナログ音声信号を所定のアルゴリズムでコード化（圧縮処理）して音声データに変換し、無線通信部１１へ出力する。
【００３２】
タッチパネル入力部１５は、指等が接触または近接した場合に、その位置の座標を検出する。検出された座標はＣＰＵ２３へ通知され、ＣＰＵ２３上で動作するソフトウェアにより、ユーザが接触または近接している座標が取得される。タッチパネル入力部１５としては、例えば、その表面に導電膜（不図示）を有し、この導電膜と指等との間の静電容量の変化によって、指等が接触または近接した位置を検出するものや、２枚の導電膜が指等によって押されて互いに接触した際の抵抗値を検出することでその位置を検出する抵抗膜方式によるもの等が考えられる。また、指等の接触のみを検出するもの、接触及び近接を検出するもの、いずれであっても適用することができる。
【００３３】
表示部１６は、例えばＬＣＤ（Liquid Crystal Display）等から構成され、ＣＰＵ２３からの表示指示に基づいて、各種プログラムの処理により得られた表示データを表示する。この表示は、タッチパネル入力部１５に対する入力操作を行うためのアイコンやソフトキー等を含む。
【００３４】
キー入力部１７は、ボリュームキー等の入力キーを備えて構成され、ユーザにより押下されたキーに対応する押下信号をＣＰＵ２３に出力する。
【００３５】
撮像部１８は、撮像レンズ、ＣＣＤ（Charge Coupled Device）、ＣＭＯＳ（Complementary Metal-Oxide Semiconductor）等の光電変換素子、Ａ／Ｄ変換部等を備えている。撮像部１８では、撮像レンズにより取り込まれた光学像を光電変換素子により画像信号に変換し、この画像信号をＡ／Ｄ変換部によりデジタル画像データに変換し、撮像画像データを取得する。
【００３６】
鳴音駆動部１９は、携帯電話機１００の着信時等にＣＰＵ２３からの鳴音指示により鳴音信号をスピーカ２０に出力し、鳴音によりユーザに通話や電子メールの着信等を報知する。
【００３７】
ＲＯＭ２１は、ＣＰＵ２３により実行される各種プログラムや、プログラムの実行必要なパラメータ、データ等を記憶している。
【００３８】
ＲＡＭ２２は、ＣＰＵ２３により実行される各種プログラム及びこれらプログラムに係わるデータを一時的に記憶するワークエリアを形成する。
【００３９】
ＣＰＵ２３は、ＲＯＭ２１に記憶されている各種プログラムの中から指定されたプログラムを読み出してＲＡＭ２２内のワークエリアに展開し、ＲＯＭ２３に記憶されている各種プログラムとの協働によって各種処理を実行し、その処理結果をＲＡＭ２２の所定の領域に格納するとともに、表示部１６に表示させる。また、ＣＰＵ２３は、無線通信部１１から出力された通信データを読み込み、ＲＡＭ２２に出力する。また、ＣＰＵ２３は、ＲＯＭ２１に記憶されている各種プログラムに従い、タッチパネル入力部１５に対する接触または近接座標に基づいて入力操作を認識し、この入力操作に基づいて携帯端末１００の動作を制御する。さらに、ＣＰＵ２３は、タッチパネル入力部１５に対する接触または近接座標に基づいてユーザによる携帯端末１００の把持位置を判定し、この把持位置に基づいて表示部１６の表示を制御する。
【００４０】
以下に、上記のように構成された携帯端末１００の動作について説明する。
【００４１】
まず、携帯端末１００における表示状態について説明する。
【００４２】
上記のように構成された携帯端末１００においては、動作時は表示部１６に情報が表示された状態となっている。
【００４３】
図４は、図３に示した携帯端末１００の外観図であり、（ａ）は表示状態を示す図、（ｂ）はユーザの手に把持された状態を示す図である。
【００４４】
図４（ａ）に示すように、図３に示した携帯端末１００は、筐体５０の表面にタッチパネル３０が設けられた構成となっており、タッチパネル３０は、図３に示した表示部１６となる表示ユニット３２上に図３に示したタッチパネル入力部１５となるタッチパッド３１が重ね合わされて構成されている。なお、タッチパネル３０は、表示ユニット３２上にタッチパッド３１が重ね合わされたものに限らず、タッチパッド３１と表示ユニット３２とが一体化されたオンセル型やインセル型であってもよい。
【００４５】
このように構成されたタッチパネル３０においては、表示ユニット３２における表示がタッチパッド３１を介して視認可能となっており、表示ユニット３２に表示されたアイコンやソフトキーをタッチパッド３１に接触または近接することで押下することになる。そのため、タッチパッド３１にて接触または近接が検出されると、ＣＰＵ２３は、接触または近接が検出された位置に基づいて、表示ユニット３２に表示されたアイコンやソフトキーが押下されたことを認識し、携帯端末１００の動作を制御することになる。
【００４６】
また、表示ユニット３２の表示領域には、提供情報表示領域４５とシステムアイコン表示領域４０とが設けられている。提供情報表示領域４５には、動画や静止画、テキスト文章等のユーザに提供する情報が表示されるとともに、アイコンやソフトキー等の入力操作を行うための表示が行われる。システムアイコン表示領域４０には、操作ボタンとなる、設定メニュー用アイコン４１、ホーム画面遷移用アイコン４２及び戻る用アイコン４３が表示されている。
【００４７】
このように、提供情報表示領域４５とシステムアイコン表示領域４０のそれぞれに情報が表示された状態でユーザが筐体５０を把持した場合、図４（ｂ）に示すように、親指の付け根近傍に配置された設定メニュー用アイコン４１を押下しにくくなる。そこで、本形態においては、設定メニュー用アイコン４１、ホーム画面遷移用アイコン４２及び戻る用アイコン４３のうち、筐体５０の把持位置に応じて移動すべき操作ボタンを移動させる。
【００４８】
次に、携帯端末１００の持ち手判定処理について説明する。
【００４９】
図５は、図３に示した携帯端末１００の持ち手判定処理を説明するためのフローチャートである。
【００５０】
携帯端末１００のユーザが、タッチパネル入力部１５に指を接触させると、まずタッチパネル入力部１５が、接触判定により接触状態を検出し（ステップ１１）、接触状態を検出した座標をＣＰＵ２３に通知する。
【００５１】
ＣＰＵ２３は、接触座標取得・記録処理により、タッチパネル入力部１５にて接触状態を検出した座標を取得して記録する（ステップ１２）。ＣＰＵ２３は、内部のタイマ（不図示）によって所定時間が経過するまで（ステップ１３）、タッチパネル入力部１５にて接触状態が検出されてから接触状態が検出されなくなるまでの、接触点の座標の軌跡を連続して記録する。
【００５２】
ユーザがタッチパネル入力部１５から指を離し、タッチパネル入力部１５にて接触状態が検出されなくなると、ＣＰＵ２３は、記録した座標の数を確認する（ステップ１４）。
【００５３】
記録した座標が単点しかない場合は、その情報に基づいて携帯端末１００の持ち手を判定することは困難なため、本形態においての解析対象としない。
【００５４】
一方、記録した座標が複数ある場合は、ＣＰＵ２３は、記録した座標に基づいて接触点の座標軌跡を幾何的解析する（ステップ１５）。
【００５５】
ＣＰＵ２３は、座標軌跡が楕円弧の左右どちら側を向いているか、または、座標軌跡が楕円に近似しないかを判定する。そして、ＣＰＵ２３は、座標軌跡が、楕円弧の内側が左側を向いているものである場合は左持ち、すなわち、携帯端末１００の把持位置が左側であると判定し、楕円弧の内側が右側を向いているものである場合は右持ち、すなわち、携帯端末１００の把持位置が右側であると判定し、楕円に近似しない場合は持ち手の判断なしとしてメモリ（不図示）に格納する（ステップ１６）。なお、この判定の根拠については後述する。
【００５６】
次に、ＣＰＵ２３が携帯端末１００の持ち手を判定した後のアイコンの表示制御処理について説明する。
【００５７】
図６は、図３に示した携帯端末１００におけるアイコンの表示制御処理を説明するためのフローチャートである。
【００５８】
上述した持ち手判定の結果（ステップ２１）、携帯端末１００を左持ちと判定した場合は、ＣＰＵ２３は、画面下方のアイコンを右方向に移動させて右側に寄せ（ステップ２２）、携帯端末１００を右持ちと判定した場合は、ＣＰＵ２３は、画面下方のアイコンを左方向に移動させて左側に寄せる（ステップ２３）。また、持ち手の判断なしとされた場合は、ＣＰＵ２３は、画面下方のアイコンを左右均等割配置にする（ステップ２４）。
【００５９】
図７は、図４に示した携帯端末１００における表示制御を示す図である。
【００６０】
表示項目が一画面以上にわたり縦方向に格納されている画面においては、ユーザは、縦方向の画面スクロール操作をする場合、フリックと呼ばれる、タッチパネル３０に触れた状態で、指を滑らせる操作を行う。通常、このような操作を片手持ちで行う場合、手のひらと、親指以外の指にて携帯端末１００を把持することになるため、タッチパネル３０に触れる親指の軌跡は、自ずと、親指の付け根を中心とした楕円の一部分に近似した軌跡を描く。
【００６１】
そのため、携帯端末１００を左手６１で把持し、把持位置が左側となっている場合は、図７（ａ）に示すように、提供情報表示領域４５に対する接触座標の軌跡７１が、楕円弧の内側が左側を向いたものとなる。そこで、ＣＰＵ２３は、その場合は、携帯端末１００が左手で把持されて把持位置が左側となっていると判定し、左手６１の親指の付け根近傍に表示された設定メニュー用アイコン４１及びホーム画面遷移用アイコン４２を、左手６１による把持位置とは反対側の方向に移動させる。
【００６２】
また、携帯端末１００を右手６２で把持し、把持位置が左側となっている場合は、図７（ｂ）に示すように、提供情報表示領域４５に対する接触座標の軌跡７２が、楕円弧の内側が右側を向いたものとなる。そこで、ＣＰＵ２３は、その場合は、携帯端末１００が右手で把持されて把持位置が右側となっていると判定し、右手６２の親指の付け根近傍に表示された戻る用アイコン４３及びホーム画面遷移用アイコン４２を、右手６２による把持位置とは反対側の方向に移動させる。
【００６３】
また、図７（ｃ）に示すように、携帯端末１００を左手６１で把持し、右手６２で接触操作を行う場合等、携帯端末１００を把持する手と、接触操作を行う手が異なる場合は、上下方向のスクロールでは、ほぼ上下方向に直線の軌跡を描くため、座標軌跡が楕円に近似せずに持ち手の判断なしとされた場合は、ＣＰＵ２３は、画面下方のシステムアイコン表示領域４０に表示された、設定メニュー用アイコン４１、ホーム画面遷移用アイコン４２及び戻る用アイコン４３を、左右均等割付けにした状態のまま移動させない。
【００６４】
このように、携帯端末１００に対するフリック操作の軌跡から、携帯端末１００の持ち手を判定し、画面下方のシステムアイコン表示領域４０におけるアイコンの配置位置を制御することにより、システムアイコン表示領域４０に表示されたアイコンを操作する際に、持ち手の親指を内側に極端に曲げる必要がなくなり、操作を容易にすることができる。
【００６５】
（他の実施の形態）
図８は、本発明の情報処理装置の他の実施の形態を示す外観図である。
【００６６】
本形態は図８（ａ）に示すように、上述した実施の形態に示したものに対して、両手で把持して利用するものである点が異なる。
【００６７】
本形態においては、左手６１と右手６２のそれぞれについて、上述したものと同様の楕円の軌跡７１，７２を得ることができる。そのため、図８（ｂ）に示すように、画面下方のシステムアイコン表示領域４０におけるシステムアイコン１４１，１４２の配置位置をそれぞれ、把持位置と反対側の方向に移動させる。これにより、両手で把持して利用するものにおいても、システムアイコン表示領域４０に表示されたアイコンを操作する際に、両手の親指をそれぞれ内側に極端に曲げる必要がなくなり、操作を容易にすることができる。
【００６８】
なお、上述した実施の形態においては、タッチパネル３０，１３０に対する接触操作による軌跡に基づいてユーザによる把持位置を判定しているが、タッチパネル３０，１３０に対する接触操作が左右のどちらかに偏っているかを検出することによりユーザによる把持位置を判定することも考えられる。
【００６９】
また、把持位置についても、タッチパネル３０，１３０の左側、右側という、タッチパネル３０，１３０の対向する辺を基準とするものではなく、角部を基準として判定する構成としてもよい。その場合、角部を把持した場合の接触操作の軌跡の特徴を予め認識しておき、検出した接触操作の軌跡がその特徴と同等のものであれば、角部を把持していると判定することになる。そして、アイコン等の操作ボタンを把持している角部とは反対側の方向に移動させることになる。
【００７０】
また、本発明の構成要素は、上述したブロック図に示されるような機能として分離されるものに限らず、適宜、機能毎に分離した構成としてもよい。
【００７１】
また、本発明においては、情報処理装置内の処理は上述の専用のハードウェアにより実現されるもの以外に、その機能を実現するためのプログラムを情報処理装置となるコンピュータにて読取可能な記録媒体に記録し、この記録媒体に記録されたプログラムを情報処理装置に読み込ませ、実行するものであっても良い。情報処理装置にて読取可能な記録媒体とは、ＩＣカードやメモリカード、あるいは、フロッピーディスク（登録商標）、光磁気ディスク、ＤＶＤ、ＣＤ等の移設可能な記録媒体の他、情報処理装置に内蔵されたＨＤＤ等を指す。この記録媒体に記録されたプログラムは、例えば、制御ブロックにて読み込まれ、制御ブロックの制御によって、上述したものと同様の処理が行われる。
【００７２】
また、本発明に用いられる情報処理装置は、上述したような携帯端末やスマートフォンに限らず、携帯音楽プレーヤーや携帯ゲーム機、タブレットＰＣ（Personal Computer）やノートＰＣ、ＰＤＡ（Personal Date Assistants）、デジタルカメラ、リモコン等であってもよい。
【００７３】
上記の実施の形態の一部または全部は、以下の付記のようにも記載され得るが、以下には、限られない。
【００７４】
（付記１）
接触または近接を検出する入力検出手段と、
操作ボタンを含む、前記接触または近接によって入力操作を行うための表示を行う表示手段と、
前記入力検出手段における検出結果に基づいて前記入力操作を認識し、該入力操作に基づいて自装置の動作を制御する制御手段とを有し、
前記制御手段は、前記入力検出手段における検出結果に基づいて自装置の把持位置を判定し、前記把持位置に基づいて前記操作ボタンの表示位置を移動させる情報処理装置。
【００７５】
（付記２）
付記１に記載の情報処理装置において、
前記制御手段は、前記入力検出手段に対する接触または近接の軌跡に基づいて自装置の把持位置を判定する情報処理装置。
【００７６】
（付記３）
付記２に記載の情報処理装置において、
前記制御手段は、前記軌跡による弧の向きに基づいて自装置の把持位置を判定する情報処理装置。
【００７７】
（付記４）
付記１乃至３のいずれか１項に記載の情報処理装置において、
前記制御手段は、前記操作ボタンの表示位置を前記自装置の把持位置とは反対側の方向に移動させる情報処理装置。
【００７８】
（付記５）
情報処理装置における表示制御方法であって、
接触または近接を検出する入力検出処理と、
前記入力検出処理における検出結果に基づいて前記情報処理装置の把持位置を判定する把持位置判定処理と、
前記接触または近接によって入力操作を行うための表示に含まれる操作ボタンの表示位置を、前記把持位置に基づいて移動させる位置移動処理とを有する表示制御方法。
【００７９】
（付記６）
コンピュータに、
接触または近接を検出する入力検出手順と、
前記入力検出手順における検出結果に基づいて自装置の把持位置を判定する把持位置判定手順と、
前記接触または近接によって入力操作を行うための表示に含まれる操作ボタンの表示位置を、前記把持位置に基づいて移動させる位置移動手順とを実行させるためのプログラム。
【符号の説明】
【００８０】
１    入力検出部
２，１６    表示部
３    制御部
１０    アンテナ
１１    無線通信部
１２    音声処理部
１３    受話スピーカ
１４    送話マイク
１５    タッチパネル入力部
１７    キー入力部
１８    撮像部
１９    鳴音駆動部
２０    着信音用スピーカ
２１    ＲＯＭ
２２    ＲＡＭ
２３    ＣＰＵ
３０，１３０    タッチパネル
３１，１３１    タッチパッド
３２，１３２    表示ユニット
４０，１４０    システムアイコン表示領域
４１    設定メニュー用アイコン
４２    ホーム画面遷移用アイコン
４３    戻る用アイコン
４５，１４５    提供情報表示領域
５０，１５０    筐体
６０    手
６１    左手
６２    右手
７１，７２    軌跡
１００    携帯端末
１４１，１４２    システムアイコン
【図１】
2014021528.tif 000003
【図２】
2014021528.tif 000004
【図３】
2014021528.tif 000005
【図４】
2014021528.tif 000006
【図５】
2014021528.tif 000007
【図６】
2014021528.tif 000008
【図７】
2014021528.tif 000009
【図８】
2014021528.tif 000010